(57)【特許請求の範囲】
【請求項１】
走査線とデータ線との交差に設けられるとともに、該走査線が選択されたときに、該データ線に供給されたデータ信号に応じた階調となるサブ画素を、赤（Ｒ）、緑（Ｇ）、青（Ｂ）のそれぞれに対応させるとともに、ＲＧＢの３つのサブ画素によって１画素のカラー表示を行う電気光学装置であって、
水平走査方向または垂直走査方向のいずれかで相隣接する２画素の各々に属するＲのサブ画素に、それぞれＲの階調データに基づくデータ信号を共通に供給するとともに、同じく相隣接する２画素に属するＢのサブ画素の各々に、それぞれＢの階調データに基づくデータ信号を共通に供給する一方、
Ｇのサブ画素については、Ｇの階調データに基づくデータ信号を画素毎に供給し、
供給される階調データがＲＧＢの各々についてｍビットである場合、
相隣接する２画素におけるＲＧＢの階調データ同士の差が、しきい値以上であれば、該２画素に属するＲまたはＢのサブ画素の各々に、それぞれＲまたはＢの階調データに基づくデータ信号を共通に供給せずに、
ＲＧＢのサブ画素の各々に対して、ｍビットの階調データのうち、上位ｎ（ｎは、ｎ＜ｍであって、３ｎ≦２ｍを満たす整数）ビットの階調データに基づくデータ信号をそれぞれ供給する
ことを特徴とする電気光学装置。
【請求項２】
相隣接する２画素の各々に属するサブ画素に共通に供給するデータ信号は、当該２画素に属するサブ画素の各々に対応する階調データの一方、または、その平均値に基づくものである
ことを特徴とする請求項１に記載の電気光学装置。
【請求項３】
相隣接する２画素の各々に属するＲのサブ画素が１つにまとめられるとともに、相隣接する２画素の画素の各々に属するＢのサブ画素が１つにまとめられた
ことを特徴とする請求項１に記載の電気光学装置。
【請求項４】
まとめられたＲのサブ画素の面積、および、まとめられたＢのサブ画素の面積は、それぞれ前記Ｇのサブ画素の面積に対して略２倍である
ことを特徴とする請求項３に記載の電気光学装置。
【請求項５】
請求項１乃至４のいずれかに記載の電気光学装置を備える
ことを特徴とする電子機器。
【請求項６】
走査線とデータ線との交差に設けられたサブ画素を、赤（Ｒ）、緑（Ｇ）、青（Ｂ）のそれぞれに対応させるとともに、ＲＧＢの３つのサブ画素によって１画素のカラー表示を行う電気光学装置に用いられ、
選択された走査線に対応するサブ画素に対し、データ線を介してデータ信号を供給する駆動回路であって、
水平走査方向または垂直走査方向のいずれか一方向で相隣接する２画素の各々に属するＲのサブ画素に、それぞれＲの階調データに基づくデータ信号を共通に供給するとともに、同じく２画素に属するＢのサブ画素の各々に、それぞれＢの階調データに基づくデータ信号を共通に供給する一方、
Ｇのサブ画素については、Ｇの階調データに基づくデータ信号を画素毎に供給し、
第１のモードおよび第２のモードを有し、
前記第１のモードでは、Ｇの階調データが供給されるとともに、Ｒの階調データとＢの階調データとが画素毎に交互に供給される一方、前記第２のモードでは、ＲＧＢの階調データが、前記第１のモードにおけるビット数よりも削減されて供給される信号線と、
データ線毎に設けられ、供給された階調データをデータ信号に変換して、対応するデータ線に供給する変換回路と、
前記第１のモードにあって、前記信号線にＲの階調データが供給されている期間では、
前記信号線に供給されたＧの階調データをサンプリングして、ある一の画素列に属するＧのデータ線に対応する変換回路に供給するとともに、該Ｒの階調データをサンプリングして、該画素列に属するＲのデータ線と、該画素列に隣接する画素列に属するＲのデータ線との各々に対応する変換回路に共通に供給し、
前記信号線にＢの階調データが供給されている期間では、
前記信号線に供給されたＧの階調データをサンプリングして、他の一の画素列に属するＧのデータ線に対応する変換回路に供給するとともに、該Ｂの階調データをサンプリングして、該画素列に属するＢのデータ線と、該画素列に隣接する画素列に属するＢのデータ線との各々に対応する変換回路に共通に供給する一方、
前記第２のモードにあっては、相隣接する２画素に属するＲまたはＢのサブ画素の各々に、それぞれＲまたはＢの階調データに基づくデータ信号を共通に供給するとはせずに、前記信号線に供給されたＲＧＢの階調データを、それぞれ、ある一の画素列に属するデータ線のうち、各々に対応する変換回路に供給する機構と
を含むことを特徴とする電気光学装置の駆動回路。
【請求項７】
Ｇの階調データが供給されるＧ信号線と、
Ｒの階調データとＢの階調データとが画素毎に交互に供給されるＲＢ信号線と、
データ線毎に設けられ、供給された階調データをデータ信号に変換して、対応するデータ線に供給する変換回路と、
前記ＲＢ信号線にＲの階調データが供給されている期間に、
前記Ｇ信号線に供給されたＧの階調データをサンプリングして、ある一の画素列に属するＧのデータ線に対応する変換回路に供給するとともに、該Ｒの階調データをサンプリングして、該画素列に属するＲのデータ線と、該画素列に隣接する画素列に属するＲのデータ線との各々に対応する変換回路に共通に供給する一方、
前記ＲＢ信号線にＢの階調データが供給されている期間に、
前記Ｇ信号線に供給されたＧの階調データをサンプリングして、他の一の画素列に属するＧのデータ線に対応する変換回路に供給するとともに、該Ｂの階調データをサンプリングして、該画素列に属するＢのデータ線と、該画素列に隣接する画素列に属するＢのデータ線との各々に対応する変換回路に共通に供給するレジスタと
を含むことを特徴とする請求項６に記載の電気光学装置の駆動回路。
【請求項８】
Ｒの階調データが供給されるＲ信号線と、
Ｇの階調データが供給されるＧ信号線と、
Ｂの階調データが供給されるＢ信号線と、
データ線毎に設けられ、供給された階調データをデータ信号に変換して、対応するデータ線に供給する変換回路と、
前記Ｒ信号線にＲの階調データが供給されている期間に、
前記Ｇ信号線に供給されたＧの階調データをサンプリングして、ある一の画素列に属するＧのデータ線に対応する変換回路に供給するとともに、該Ｒの階調データをサンプリングして、該画素列に属するＲのデータ線と、該画素列に隣接する画素列に属するＲのデータ線との各々に対応する変換回路に共通に供給する一方、
前記Ｂ信号線にＢの階調データが供給されている期間に、前記Ｇ信号線に供給されたＧの階調データをサンプリングして、他の一の画素列に属するＧのデータ線に対応する変換回路に供給するとともに、該Ｂの階調データをサンプリングして、該画素列に属するＢのデータ線と、該画素列に隣接する画素列に属するＢのデータ線との各々に対応する変換回路に共通に供給するレジスタと
を含む
ことを特徴とする請求項６に記載の電気光学装置の駆動回路。
【請求項９】
Ｇの階調データが供給されるＧ信号線と、
Ｒの階調データとＢの階調データとが１画素分毎に交互に供給されるＲＢ信号線と、
Ｇについてはデータ線毎に設けられる一方、ＲまたはＢについては、相隣接する画素列に属するデータ線の２本毎に設けられて、供給された階調データをデータ信号に変換して、データ線に変換する変換回路と、
前記ＲＢ信号線にＲの階調データが供給されている期間に、
前記Ｇ信号線に供給されたＧの階調データをサンプリングして、ある一の画素列に属するＧのデータ線に対応する変換回路に供給するとともに、該Ｒの階調データをサンプリングして、該画素列に属するＲのデータ線と、これと対となっているＲのデータ線とに対応する変換回路に供給する一方、
前記ＲＢ信号線にＢの階調データが供給されている期間に、
前記Ｇ信号線に供給されたＧの階調データをサンプリングして、他の一の画素列に属するＧのデータ線に対応する変換回路に供給するとともに、該Ｂの階調データをサンプリングして、該画素列に属するＢのデータ線と、これと対となっているＢのデータ線とに対応する変換回路に供給するレジスタと
を含むことを特徴とする請求項６に記載の電気光学装置の駆動回路。
【請求項１０】
Ｇの階調データが供給されるＧ信号線と、
奇数行目または偶数行目のいずれか一方の走査線が選択される水平走査期間では、Ｒの階調データが供給される一方、いずれか他方の走査線が選択される水平走査期間では、Ｂの階調データが供給されるＲＢ信号線と、
データ線毎に設けられ、供給された階調データをデータ信号に変換して、対応するデータ線に供給する変換回路と、
前記Ｇ信号線に供給されたＧの階調データをサンプリングして、ある一の画素列に属するＧのデータ線に対応する変換回路に、前記一方の走査線が選択される水平走査期間にて供給するとともに、
前記ＲＢ信号線に供給されたＲの階調データをサンプリングして、次の走査線の選択が終了するまでの期間保持して、該画素列に属するＲのデータ線に対応する変換回路に供給する一方、
前記Ｇ信号線に供給されたＧの階調データをサンプリングして、該画素列に属するＧのデータ線に対応する変換回路に、前記他方の走査線が選択される水平走査期間にて供給するとともに、
前記ＲＢ信号線に供給されたＢの階調データをサンプリングして、次の走査線の選択が終了するまでの期間保持して、該画素列に属するＢのデータ線に対応する変換回路に供給する機構と
を含むことを特徴とする請求項６に記載の電気光学装置の駆動回路。
【発明の詳細な説明】
【０００１】
【発明の属する技術分野】
本発明は、構成簡易化や低消費電力化等に寄与する電気光学装置、駆動回路、および、電子機器に関する。
【０００２】
【従来の技術】
近年、液晶や有機ＥＬ（エレクトロ・ルミネッセンス）などの電気光学物質の電気光学的な変化により表示を行う電気光学装置が、陰極線管（ＣＲＴ）に代わるディスプレイ・デバイスとして、各種情報処理機器やテレビジョンなどに広く用いられつつある。
ここで、電気光学装置は、駆動方式等によって分類すると、スイッチングにより画素を駆動するアクティブ・マトリクス型と、スイッチング素子を用いないで画素を駆動するパッシブ・マトリクス型とに大別することができる。このうち、前者に係るアクティブ・マトリクス型の電気光学装置は、次のような構成となっている。
【０００３】
すなわち、アクティブ・マトリクス型の電気光学装置においては、行方向に延在する走査線と、列方向に延在するデータ線との交差に対応して画素電極が形成されるとともに、さらに、画素電極とデータ線との間に、走査線に供給される走査信号にしたがってオンオフする薄膜トランジスタなどのスイッチング素子が介挿される一方、画素電極には対向電極が電気光学物質を介して対向する構成となっている。
【０００４】
このような構成において、走査線にオン電圧の走査信号が印加されると、当該走査線に接続されたスイッチング素子がオン状態になる。このオン状態の際に、データ線を介して画素電極に、階調（濃度）に応じたデータ信号が印加されると、当該画素電極および対向電極の間に挟持された電気光学物質に、当該データ信号に応じた電圧が印加される。このため、該電気光学物質は電気光学的に変化する結果、画素における透過光量、反射光量または発光量（いずれにせよ、観察者側に視認される光量）が、画素電極に印加されたデータ信号に応じたものとなる。したがって、このように画素電極にデータ信号を印加する動作を、画素毎に実行することで、所定の表示を行うことが可能となる。
【０００５】
ところで、このような電気光学装置に対し、画素の階調を指示する信号／データは、基本的にはアナログ、ディジタルのいずれであっても良いが、近年では、各種の演算処理する際に劣化が発生しない等の理由により、ディジタルとする場合が多い。したがって、この場合、電気光学装置では、画素の階調を指示するディジタルの階調データをデータ線駆動回路によって適切に処理してデータ信号に変換し、該データ信号をデータ線に供給する構成となる。
【０００６】
ここで、電気光学装置に対し、ディジタルの階調データを供給する信号線（データバス）には、寄生容量が少なからず存在する。このため、階調データのビットが変化する毎に、その論理レベルの振幅分だけ寄生容量に充放電がなされるので、信号線において電力が無駄に消費されることになる。
一方、データ線駆動回路においては、階調データのビット数が増すにつれて、構成が複雑化するとともに、各種能動素子のスイッチング動作が頻繁に行われるので、消費電力が増加する傾向にある。特に、画素電極への画像信号を、階調データで示されるパルス幅にて変調して供給する方式では、階調数に応じた非常に間隔の短いパルス列が必要になるので、消費電力の増加が顕著になる。
【０００７】
このため、ｍビットの階調データのうち、上位ｎビットを残して下位（ｍ−ｎ）ビットを切り捨て、電気光学装置に対しては、上位ｎビットの階調データにしたがって階調表示させる技術が提案された。この技術では、階調データを供給する信号線が、ｍ本からｎ本に減少するので、該信号線の寄生容量によって消費される電力が削減されるほか、データ線駆動回路の構成も、それだけ簡素化されることになる。
【０００８】
【発明が解決しようとする課題】
しかしながら、ｍビットの階調データのうち、上位ｎビットだけを電気光学装置に供給する技術では、本来あるべき情報が切り捨てられることになるので、ｍビットの階調データで示される原画像と、電気光学装置で表示される画像との誤差が大きくなってしまうだけではなく、階調間の差が大きくなる結果、縞状の紋様が発生して、表示品位が低下する、という問題があった。
【０００９】
本発明は、上述した事情に鑑みてなされたもので、その目的とするところは、表示品位の低下を抑えた上で、電気光学装置の構成簡易化や低消費電力化等を図った電気光学装置、駆動回路および電子機器を提供することにある。
【００１０】
【課題を解決するための手段】
一般に、人が光を視認する場合、空間周波数領域における光の強度に対する分解能は高いが、色差に対する分解能は低い。また、この場合に、光の強度における約６割が、Ｇ（緑）の明るさによって決定される。
そこで、これらに着目して、本発明に係る電気光学装置は、走査線とデータ線との交差に設けられるとともに、該走査線が選択されたときに、該データ線に供給されたデータ信号に応じた階調となるサブ画素を、赤（Ｒ）、緑（Ｇ）、青（Ｂ）のそれぞれに対応させるとともに、ＲＧＢの３つのサブ画素によって１画素のカラー表示を行う電気光学装置であって、水平走査方向または垂直走査方向のいずれかで相隣接する２画素の各々に属するＲのサブ画素に、それぞれＲの階調データに基づくデータ信号を共通に供給するとともに、同じく相隣接する２画素に属するＢのサブ画素の各々に、それぞれＢの階調データに基づくデータ信号を共通に供給する一方、Ｇのサブ画素については、Ｇの階調データに基づくデータ信号を画素毎に供給し、供給される階調データがＲＧＢの各々についてｍビットである場合、相隣接する２画素におけるＲＧＢの階調データ同士の差が、しきい値以上であれば、該２画素に属するＲまたはＢのサブ画素の各々に、それぞれＲまたはＢの階調データに基づくデータ信号を共通に供給せずに、ＲＧＢのサブ画素の各々に対して、ｍビットの階調データのうち、上位ｎ（ｎは、ｎ＜ｍであって、３ｎ≦２ｍを満たす整数）ビットの階調データに基づくデータ信号をそれぞれ供給することを特徴としている。
この構成によれば、光強度を決定する際に影響の大きいＧの階調データについては画素毎に供給されるが、影響の少ないＲ（赤）およびＢ（青）の階調データについては、それぞれ相隣接するサブ画素の２つが共通化して供給されるので、同時に供給する必要のある階調データは、２／３に削減される。したがって、階調データを供給する信号線数も少なく済むので、該信号線の寄生容量によって消費される電力が削減されるほか、データ線を駆動するための構成も、それだけ簡素化されるとともに、該構成によって消費される電力についても削減されることになる。一方、ＲＢのサブ画素については、２画素分が共通化されるが、そのビット数は減少していないので、階調間の差が大きくなることもになく、したがった、縞状の紋様の発生が抑えられて、表示品位が低下することもない。
一方、画素間での色差や階調変化が大きい場合に、にじみが発生するときがあるが、この構成において、相隣接する２画素におけるＲＧＢの階調データ同士の差が、しきい値以上であれば、ＲＧＢの階調データが画素毎に与えられるので、にじみの発生が抑えられる。なお、この構成では、下位ビットの切り捨てに伴って紋様が発生すると考えられるが、ＲＧＢの階調データが画素毎に与えられるのは、もともと画素間での色差や階調変化が大きい場合であるので、これらの紋様は、実際には視認しにくいはずである。
なお、本発明において、相隣接する２画素の各々に属するサブ画素に共通に供給するデータ信号は、当該２画素に属するサブ画素の各々に対応する階調データの一方、または、その平均値に基づくものである構成が好ましい。
【００１２】
また、本発明においては、相隣接する２画素の各々に属するＲのサブ画素が１つにまとめられるとともに、相隣接する２画素の画素の各々に属するＢのサブ画素が１つにまとめられた構成が好ましい。この構成によれば、２つのＲ（またはＢ）のサブ画素が１つにまとめられた分、データ線を駆動する回路における出力端子数が削減されるほか、総サブ画素数が減少することになる。
このような構成においては、まとめられたＲのサブ画素の面積、および、まとめられたＢのサブ画素の面積は、それぞれ前記Ｇのサブ画素の面積に対して略２倍である構成が望ましい。これにより、サブ画素間の間隙が占める割合が減少するので、開口率の向上を図ることができる。
【００１３】
さらに、本発明における電子機器は、上記電気光学装置を備えるので、表示品位の低下を抑えた上で、構成簡易化や低消費電力化等が可能になる。なお、このような電子機器としては、低消費電力化の要求が極めて強いモバイル型パーソナルコンピュータや、ディジタルスチルカメラ、携帯電話などが挙げられる。
【００１４】
なお、本発明は、電気光学装置の駆動回路としても実現することができる。すなわち、本発明に係る電気光学装置の駆動回路にあっては、走査線とデータ線との交差に設けられたサブ画素を、赤（Ｒ）、緑（Ｇ）、青（Ｂ）のそれぞれに対応させるとともに、ＲＧＢの３つのサブ画素によって１画素のカラー表示を行う電気光学装置に用いられ、選択された走査線に対応するサブ画素に対し、データ線を介してデータ信号を供給する駆動回路であって、水平走査方向または垂直走査方向のいずれか一方向で相隣接する２画素の各々に属するＲのサブ画素に、それぞれＲの階調データに基づくデータ信号を共通に供給するとともに、同じく２画素に属するＢのサブ画素の各々に、それぞれＢの階調データに基づくデータ信号を共通に供給する一方、Ｇのサブ画素については、Ｇの階調データに基づくデータ信号を画素毎に供給し、第１のモードおよび第２のモードを有し、前記第１のモードでは、Ｇの階調データが供給されるとともに、Ｒの階調データとＢの階調データとが画素毎に交互に供給される一方、前記第２のモードでは、ＲＧＢの階調データが、前記第１のモードにおけるビット数よりも削減されて供給される信号線と、データ線毎に設けられ、供給された階調データをデータ信号に変換して、対応するデータ線に供給する変換回路と、前記第１のモードにあって、前記信号線にＲの階調データが供給されている期間では、前記信号線に供給されたＧの階調データをサンプリングして、ある一の画素列に属するＧのデータ線に対応する変換回路に供給するとともに、該Ｒの階調データをサンプリングして、該画素列に属するＲのデータ線と、該画素列に隣接する画素列に属するＲのデータ線との各々に対応する変換回路に共通に供給し、前記信号線にＢの階調データが供給されている期間では、前記信号線に供給されたＧの階調データをサンプリングして、他の一の画素列に属するＧのデータ線に対応する変換回路に供給するとともに、該Ｂの階調データをサンプリングして、該画素列に属するＢのデータ線と、該画素列に隣接する画素列に属するＢのデータ線との各々に対応する変換回路に共通に供給する一方、前記第２のモードにあっては、相隣接する２画素に属するＲまたはＢのサブ画素の各々に、それぞれＲまたはＢの階調データに基づくデータ信号を共通に供給するとはせずに、前記信号線に供給されたＲＧＢの階調データを、それぞれ、ある一の画素列に属するデータ線のうち、各々に対応する変換回路に供給する機構とを含む構成を特徴としている。この構成によれば、上記電気光学装置と同様に、表示品位の低下を抑えた上で、構成簡易化や低消費電力化等が可能になる。また、第１または第２のモードを表示内容に応じて選択することができるので、表示品位の低下防止と、低消費電力化とを両立することが可能となる。
【００１５】
このような駆動回路の具体的態様としては、次の第１から第４までの態様が考えられる。このうち、第１の態様は、Ｇの階調データが供給されるＧ信号線と、Ｒの階調データとＢの階調データとが画素毎に交互に供給されるＲＢ信号線と、データ線毎に設けられ、供給された階調データをデータ信号に変換して、対応するデータ線に供給する変換回路と、前記ＲＢ信号線にＲの階調データが供給されている期間に、前記Ｇ信号線に供給されたＧの階調データをサンプリングして、ある一の画素列に属するＧのデータ線に対応する変換回路に供給するとともに、該Ｒの階調データをサンプリングして、該画素列に属するＲのデータ線と、該画素列に隣接する画素列に属するＲのデータ線との各々に対応する変換回路に共通に供給する一方、前記ＲＢ信号線にＢの階調データが供給されている期間に、前記Ｇ信号線に供給されたＧの階調データをサンプリングして、他の一の画素列に属するＧのデータ線に対応する変換回路に供給するとともに、該Ｂの階調データをサンプリングして、該画素列に属するＢのデータ線と、該画素列に隣接する画素列に属するＢのデータ線との各々に対応する変換回路に共通に供給するレジスタとを含む構成としたものである。この第１の態様によれば、信号線に要する総線数が削減されるので、構成の簡易化や低消費電力化が図られることになる。
【００１６】
次に、第２の態様は、Ｒの階調データが供給されるＲ信号線と、Ｇの階調データが供給されるＧ信号線と、Ｂの階調データが供給されるＢ信号線と、データ線毎に設けられ、供給された階調データをデータ信号に変換して、対応するデータ線に供給する変換回路と、前記Ｒ信号線にＲの階調データが供給されている期間に、前記Ｇ信号線に供給されたＧの階調データをサンプリングして、ある一の画素列に属するＧのデータ線に対応する変換回路に供給するとともに、該Ｒの階調データをサンプリングして、該画素列に属するＲのデータ線と、該画素列に隣接する画素列に属するＲのデータ線との各々に対応する変換回路に共通に供給する一方、前記Ｂ信号線にＢの階調データが供給されている期間に、前記Ｇ信号線に供給されたＧの階調データをサンプリングして、他の一の画素列に属するＧのデータ線に対応する変換回路に供給するとともに、該Ｂの階調データをサンプリングして、該画素列に属するＢのデータ線と、該画素列に隣接する画素列に属するＢのデータ線との各々に対応する変換回路に共通に供給するレジスタとを含む構成としたものである。この第２の態様では、第１の態様と比較して、信号線の総線数は削減されないが、例えば、Ｒの階調データが供給される期間では、Ｂの階調データは不要であるので、Ｂの階調データを前の期間から遷移させないで済む。このため、その分、画像信号線の寄生容量によって消費される電力を抑えることができる。
【００１７】
さらに、第３の態様は、Ｇの階調データが供給されるＧ信号線と、Ｒの階調データとＢの階調データとが１画素分毎に交互に供給されるＲＢ信号線と、Ｇについてはデータ線毎に設けられる一方、ＲまたはＢについては、相隣接する画素列に属するデータ線の２本毎に設けられて、供給された階調データをデータ信号に変換して、データ線に変換する変換回路と、前記ＲＢ信号線にＲの階調データが供給されている期間に、前記Ｇ信号線に供給されたＧの階調データをサンプリングして、ある一の画素列に属するＧのデータ線に対応する変換回路に供給するとともに、該Ｒの階調データをサンプリングして、該画素列に属するＲのデータ線と、これと対となっているＲのデータ線とに対応する変換回路に供給する一方、前記ＲＢ信号線にＢの階調データが供給されている期間に、前記Ｇ信号線に供給されたＧの階調データをサンプリングして、他の一の画素列に属するＧのデータ線に対応する変換回路に供給するとともに、該Ｂの階調データをサンプリングして、該画素列に属するＢのデータ線と、これと対となっているＢのデータ線とに対応する変換回路に供給するレジスタとを含む構成としたものである。この第３の態様では、第２の態様と同様に、信号線の寄生容量によって消費される電力を抑えることができる。
【００１８】
また、第４の態様は、Ｇの階調データが供給されるＧ信号線と、奇数行目または偶数行目のいずれか一方の走査線が選択される水平走査期間では、Ｒの階調データが供給される一方、いずれか他方の走査線が選択される水平走査期間では、Ｂの階調データが供給されるＲＢ信号線と、データ線毎に設けられ、供給された階調データをデータ信号に変換して、対応するデータ線に供給する変換回路と、前記Ｇ信号線に供給されたＧの階調データをサンプリングして、ある一の画素列に属するＧのデータ線に対応する変換回路に、前記一方の走査線が選択される水平走査期間にて供給するとともに、前記ＲＢ信号線に供給されたＲの階調データをサンプリングして、次の走査線の選択が終了するまでの期間保持して、該画素列に属するＲのデータ線に対応する変換回路に供給する一方、前記Ｇ信号線に供給されたＧの階調データをサンプリングして、該画素列に属するＧのデータ線に対応する変換回路に、前記他方の走査線が選択される水平走査期間にて供給するとともに、前記ＲＢ信号線に供給されたＢの階調データをサンプリングして、次の走査線の選択が終了するまでの期間保持して、該画素列に属するＢのデータ線に対応する変換回路に供給する機構とを含む構成としたものである。この第４の態様によれば、第１、第２および第３の態様と比較して、階調データをサンプリングするレジスタや、変換回路の個数を削減することができるので、その分、構成の簡易化や低消費電力化を図ることができる。
【００２０】
【発明の実施の形態】
以下、本発明の実施の形態について図面を参照して説明する。
【００２１】
＜第１実施形態＞
まず、本発明の第１実施形態に係る電気光学装置について、電気光学物質として液晶を用いたタイプを例にとって説明する。図１は、この電気光学装置の構成を示すブロック図である。
この図に示されるように、電気光学装置１００では、複数ｍ本の走査線１１２が、行（Ｘ）方向に延在して形成される一方、複数（３・ｎ）本のデータ線１１４が、列（Ｙ）方向に延在して形成されている（ｍ、ｎは、複数である）。そして、これら走査線１１２とデータ線１１４との交差位置に対応して、Ｒ（赤）、Ｇ（緑）、Ｂ（青）のサブ画素１２０がそれぞれ配置している。
【００２２】
ここで、行方向において相隣接するＲ、Ｇ、Ｂのサブ画素１２０の３個をもって略正方形状の１画素が構成されている。すなわち、この電気光学装置１００の解像度は、縦ｍ×横ｎ画素となっている。なお、サブ画素の並び順は、ＲＧＢの順に限定されるものではなく、任意である。
また、この電気光学装置１００にあって、ある１つの色のサブ画素は、６ビットの階調データにしたがって６４（＝２6）階調の表示を行うものとする。したがって、この電気光学装置１００では、１画素についてみれば、２６万色（＝２6×3）のカラー表示が行われることになる。
【００２３】
ここで、サブ画素１２０は、図２（ａ）に示されるように、走査線１１２とデータ線１１４とが互いに交差する部分（電気的には絶縁状態にある部分）に対応して、薄膜トランジスタ（Thin  Film Transistor：以下「ＴＦＴ」と称する）１１６が設けられるとともに、そのゲートが走査線１１２に接続され、そのソースがデータ線１１４に接続され、そのドレインが画素電極１１８と蓄積容量１１９の一端とに接続されている。本実施形態において、ＴＦＴ１１６をＮチャネル型とすれば、走査線１１２に供給される走査信号がＨレベルになると、ＴＦＴ１１６はソース・ドレイン間にてオンすることになる。
【００２４】
一方、画素電極１１８は、一定電圧が印加される対向電極１０８と対向するものである。そして、両電極と、両電極間に挟持された液晶１０５とによって、液晶容量が形成されて、両電極間に印加される電圧実効値に応じて、その透過光量が変化する構成となっている。
なお、対向電極１０８は、本実施形態では、すべてのサブ画素１２０にわたって共通である。また、蓄積容量１１９の他端についても、すべてのサブ画素１２０にわたって共通である。
【００２５】
説明を再び図１に戻すと、走査線駆動回路１３０は、ｍ本の走査線１１２に走査信号をそれぞれ供給するものである。詳細には、走査線駆動回路１３０は、図５に示されるように、垂直走査期間の開始を規定するパルス信号ＤＹを、クロック信号ＹＣＫの立ち上がりでラッチするとともに、そのラッチした信号をクロック信号ＹＣＫの１周期（１水平走査期間に相当する）毎に順次遅延させて、走査信号Ｙ１、Ｙ２、Ｙ３、……、Ｙｍとして、１行目からｍ行目までの走査線１１２にそれぞれ供給するものである。このため、走査信号Ｙ１、Ｙ２、Ｙ３、……、Ｙｍのうち、いずれか一のみが１水平走査期間（１Ｈ）、Ｈレベルとなる。そこで、本説明では、該Ｈレベルである走査信号が供給された走査線１１２を、特に選択走査線、または、選択された走査線ということにする。
【００２６】
一方、データ線駆動回路１４０は、選択走査線に位置するサブ画素１２０の濃度（階調）に応じたデータ信号を、それぞれデータ線１１４を介して供給するものである。ここで、列方向について一般的に説明するため、ｊ（ｊは、１≦ｊ≦ｎを満たす整数）を用いると、（３ｊ−２）列目、（３ｊ−１）列目、（３ｊ）列目のデータ線１１２に供給されるデータ信号を、それぞれＲｊ、Ｇｊ、Ｂｊと表記することにする。すなわち、ｊ列目の画素を構成するＲ、Ｇ、Ｂのサブ画素１２０には、それぞれデータ信号Ｒｊ、Ｇｊ、Ｂｊが供給されるものとする。
【００２７】
ここで、データ線駆動回路１４０の詳細について説明する。図３は、データ線駆動回路１４０の構成を示すブロック図である。この図において、シフトレジスタ１４１０は、水平走査期間の最初に供給されるパルス信号ＤＸを、クロック信号ＸｓＣＫの立ち上がり毎に順次シフトして、サンプリング制御信号Ｘｓ１、Ｘｓ２、Ｘｓ３、…、Ｘｓｎとして出力するものである。
【００２８】
次に、本実施形態では、Ｒ、Ｇ、Ｂの各々に対応する階調データＤＲ、ＤＧ、ＤＢが、上位装置（図示省略）から、図４に示されるタイミングにて供給される。すなわち、階調データＤＧについては、画素毎に信号線（データバス）１４２を介して供給されるが、階調データＤＲ、ＤＢについては、１画素おきに交互に信号線１４４を介して供給される。
このため、実際に供給される階調データＤＲ（ＤＢ）としては、省略される階調データＤＲ（ＤＢ）を考慮したものが用いられる。具体的には、当該２画素におけるサブ画素の本来の階調の一方や、その平均値となるように演算されたものが、データ線駆動回路１４０に供給される。
【００２９】
続いて、レジスタ（Ｒｅｇ）１４２０は、データ線１１４と１対１に対応して設けられ、接続された信号線１４２または１４４に供給された階調データを、サンプリング制御信号の立ち上がりにてサンプリングして、保持するものである。ここで一般的に、データ信号Ｇｊが供給されるデータ線１１４に対応するレジスタ１４２０は、信号線１４２に接続される一方、データ信号Ｒｊ、Ｂｊが供給されるデータ線１１４に対応するレジスタ１４２０は、信号線１４４に接続されている。さらに、一般的にｊを奇数とすれば、ｊ列の画素に対応するサンプリング制御信号Ｘｓｊは、データ信号Ｒｊ、Ｇｊ、Ｒ（ｊ＋１）が供給されるデータ線１１４に対応するレジスタ１４２０の３つに供給される一方、続く偶数（ｊ＋１）列の画素に対応するサンプリング制御信号Ｘｓ（ｊ＋１）は、データ信号Ｂｊ、Ｇ（ｊ＋１）、Ｂ（ｊ＋１）が供給されるデータ線１１４に対応するレジスタ１４２０の３つに供給される。
【００３０】
次に、ラッチ回路１４３０は、レジスタ１４２０と１対１に対応して設けられ、対応するレジスタ１４２０によって保持された階調データを、水平走査期間の開始に供給されるラッチパルスＬＰの立ち上がりによってラッチして出力するものである。
そして、変換回路１４４０は、ラッチ回路１４３０と１対１に対応して設けられ、対応するラッチ回路１４３０によってラッチされた階調データを、信号ＡＫによって指示される極性のアナログ変換して、データ線１１４に供給するものである。ここで信号ＡＫによって指示される極性とは、対向電極１０８に印加される電圧（またはこの近傍電圧）を基準とするものであり、該電圧よりも高位側を正極性とし、低位側を負極性としている。
【００３１】
＜動作＞
次に、本実施形態に係る電気光学装置の動作について説明する。ここで、図５は、電気光学装置における行（Ｙ）方向の動作を説明するためのタイミングチャートであり、図６は、列（Ｘ）方向の動作を説明するためのタイミングチャートである。
【００３２】
まず、図５に示されるように、垂直走査期間の開始において、パルス信号ＤＹが供給されて、クロック信号ＹＣＫが立ち上がると、走査線駆動回路１３０によって走査信号Ｙ１がＨレベルとなる。このため、１行目の走査線１１２の交差に位置するサブ画素１２０のすべてにわたって、ＴＦＴ１１６がオンすることになる。
【００３３】
一方、列（Ｘ）方向側では、図６に示されるように、走査信号Ｙ１がＨレベルになる期間に先んじて、１行１列、１行２列、…、１行ｎ列の画素に対応する階調データが順番に供給される。詳細には、奇数列目の画素に対応して、階調データＤＧ、ＤＲが、偶数列目の画素においては階調データＤＧ、ＤＢが、それぞれ供給される。
【００３４】
このうち、１行１列の画素に対応して、階調データＤＧ、ＤＲが供給される期間に、シフトレジスタ１４１０によってサンプリング制御信号Ｘｓ１がＨレベルになると、該階調データＤＧは、データ信号Ｇ１が供給されるデータ線１１４に対応するレジスタ１４２０によって単独にサンプリングされる一方、該階調データＤＲは、データ信号Ｒ１、Ｒ２が供給されるデータ線１１４に対応するレジスタ１４２０の２つによって共通にサンプリングされる。
次に、１行２列の画素に対応して、階調データＤＧ、ＤＢが供給される期間に、サンプリング制御信号Ｘｓ２がＨレベルになると、該階調データＤＧは、データ信号Ｇ２が供給されるデータ線１１４に対応するレジスタ１４２０によって単独にサンプリングされる一方、該階調データＤＢは、データ信号Ｂ１、Ｂ２が供給されるデータ線１１４に対応するレジスタ１４２０の２つによって共通にサンプリングされる。
【００３５】
以降同様にして、奇数列の画素に対応して、階調データＤＧ、ＤＲが供給される期間に、対応する列のサンプリング制御信号がＨレベルになると、該階調データＤＧは、当該画素のＧに対応するレジスタ１４２０によって単独にサンプリングされる一方、該階調データＤＲは、当該画素のＲに対応するレジスタ１４２０と、該画素と１列後に位置する画素のＲに対応するレジスタ１４２０との２つによって共通にサンプリングされる。
また、この奇数に続く偶数列の画素に対応して、階調データＤＧ、ＤＢが供給される期間に、対応する列のサンプリング制御信号がＨレベルになると、該階調データＤＧは、当該画素のＧに対応するレジスタ１４２０によって単独にサンプリングされる一方、該階調データＤＢは、当該画素のＢに対応するレジスタ１４２０と、該画素と１列前に位置する画素のＢに対応するレジスタ１４２０との２つによって共通にサンプリングされる。
このような動作は、１行ｎ列の画素に対応する階調データが、最終列のデータ線１１４に対応するレジスタ１４２０に保持されるまで、繰り返される。
【００３６】
そして、最終列のデータ線１１４に対応するレジスタ１４２０に階調データが保持されると、走査信号がＨレベルになるタイミングに合わせて、ラッチパルスＬＰが出力される。このため、それぞれ各列に対応するレジスタ１４２０にそれぞれ保持された階調データが、ラッチ回路１４３０によって一斉にラッチされる。さらに、ラッチされた階調データが、それぞれ変換回路１４４０によってアナログ信号に変換され、データ信号としてデータ線１１４に供給される。
このため、１行目に位置するサブ画素１２０にあっては、ＴＦＴ１１６のオンによって、画素電極１１８（および蓄積容量１１９）に、それぞれ該データ信号の電圧に応じた電荷が蓄積されることになる。
同様な動作が、２行目、３行目、…、ｍ行目に位置するサブ画素１２０に対して線順次的に行われる。これにより、すべてのサブ画素１２０における画素電極１１８には、それぞれ階調データを変換したデータ信号に応じた電荷が蓄積されることになる。
なお、次の垂直走査期間においても同様な動作が行われる。ただし、次の垂直走査期間では、ひとつのサブ画素１２０についてみれば、信号ＡＫの指示によって、データ信号が直前の垂直走査期間とは極性反転されて出力される。このため、液晶容量は交流駆動されて、直流成分が印加されることはない。
【００３７】
このように実施形態に係る電気光学装置によれば、Ｇのサブ画素は、画素毎に個別に指示された階調となるが、水平走査方向に相隣接する２つの画素において、Ｒのサブ画素は、互いに同一階調となり、同様に、Ｂのサブ画素も、互いに同一階調となる。しかも、Ｒ、Ｂのサブ画素は、水平走査方向に相隣接する２つの画素における本来の階調を考慮した濃度である。
ここで、人が光を視認する場合、空間周波数領域における光の強度に対する分解能は高いが、色差に対する分解能は低く、光の強度における約６割が、Ｇ（緑）の明るさによって決定される。このため、Ｒ、Ｂのサブ画素の階調が２画素において同一となっても、Ｇのサブ画素の階調は画素毎に異なるので、表示品位の低下として視認されにくい。
一方、本実施形態では、６ビットの階調データＤＧは、信号線１４２を介して画素毎に供給され、６ビットの階調データＤＲおよび６ビットの階調データＤＢは、信号線１４４を介して１画素おきに交互に供給される。このため、信号線１４２、１４４に要する線数は、計１８ビットの階調データを必要とするのにもかかわらず１２本で済む。このため、本実施形態では、信号線１４２、１４４の寄生容量によって無駄に消費される電力を、その分、抑えることが可能となる。
【００３８】
＜第１実施形態の変形例＞
ところで、上述した実施形態に係る電気光学装置は、階調データＤＲ、ＤＢを、水平走査方向に相隣接する２つの画素において共通化する際に、１画素おきに交互に供給される点を利用して、信号線１４４を共用するものであったが、信号線１４４を共用しなくても、該２つの画素において、階調データＤＲ、ＤＢを共通化することは可能である。
また、上述した実施形態に係る電気光学装置は、階調データＤＲ、ＤＢを、水平走査方向に相隣接する２つの画素において共通化する際に、先に階調データＤＲをサンプリングし、次に階調データＤＢをサンプリングする構成としたが、このサンプリングのタイミングは逆であっても良い。
【００３９】
そこで、第１実施形態の変形として、階調データＤＲ、ＤＢをそれぞれ専用の信号線を介して入力するとともに、階調データＤＲ、ＤＢをサンプリングするタイミングを入れ替えた構成について説明する。図７は、この変形したデータ線駆動回路１４０の構成を示すブロック図である。
図７に示されるデータ線駆動回路１４０が、図３における構成と相違する点は、第１に、階調データＤＲ、ＤＢの各々がそれぞれ信号線１４６、１４８を介して供給される点と、第２に、レジスタ１４２０に供給されるサンプリング制御信号Ｘｓ１、Ｘｓ２、Ｘｓ３、…、Ｘｓｎの関係が異なる点とである。
【００４０】
このうち、第１の点について詳述すると、この変形構成では、階調データＤＧが、画素毎に信号線１４２を介して供給される点では第１実施形態と同様であるが、階調データＤＲは、１画素おきに信号線１４６を介して供給され、また、階調データＤＢは、１画素おきに信号線１４８を介して供給される点では第１実施形態と相違している。
【００４１】
次に、第２の点について詳述すると、一般的にｊを奇数とすれば、ｊ列の画素に対応するサンプリング制御信号Ｘｓｊは、データ信号Ｒｊ、Ｇｊ、Ｒ（ｊ＋１）が供給されるデータ線１１４に対応するレジスタ１４２０の３つに供給される一方、続く偶数（ｊ＋１）列の画素に対応するサンプリング制御信号Ｘｓ（ｊ＋１）は、データ信号Ｂ（ｊ＋１）、Ｇ（ｊ＋１）、Ｂ（ｊ＋２）が供給されるデータ線１１４に対応するレジスタ１４２０の３つに供給される。ただし、例外的に、データ信号Ｂ１が供給されるデータ線１１４に対応するレジスタ１４２０にはパルス信号ＤＸが供給される。
【００４２】
この変形した構成の動作については、階調データＤＲ、ＤＢの供給タイミングが、上述した第１実施形態（図６参照）とは入れ替わっている。詳細には、図８に示されるように、サンプリング制御信号Ｘｓ１の立ち上がり以前であって、信号ＤＸの立ち上がりタイミングにて、１列目の画素に対応する階調データＤＢが供給される。このため、該階調データＤＢは、データ信号Ｂ１が供給されるデータ線１１４に対応するレジスタ１４２０に保持されることになる。
次に、サンプリング制御信号Ｘｓ１の立ち上がりタイミングにて、１列目の画素に対応する階調データＤＲ、ＤＧが供給される。このため、該階調データＤＲは、データ信号Ｒ１、Ｒ２が供給されるデータ線１１４に対応するレジスタ１４２０の２つによって共通にサンプリングされる一方、該階調データＤＧは、データ信号Ｇ１が供給されるデータ線１１４に対応するレジスタ１４２０によって単独にサンプリングされる。
さらに、サンプリング制御信号Ｘｓ２の立ち上がりタイミングにて、２列目の画素に対応する階調データＤＧ、ＤＢが供給される。このため、該階調データＤＧは、データ信号Ｇ２が供給されるデータ線１１４に対応するレジスタ１４２０によって単独にサンプリングされる一方、該階調データＤＢは、データ信号Ｂ２、Ｂ３が供給されるデータ線１１４に対応するレジスタ１４２０の２つによって共通にサンプリングされる。
【００４３】
以降同様にして、奇数列の画素に対応するサンプリング制御信号の立ち上がりタイミングにて、該列の画素に対応する階調データＤＲ、ＤＧが供給される。このため、該階調データＤＲは、当該画素のＲに対応するレジスタ１４２０と、該画素と１列後に位置する画素のＲに対応するレジスタ１４２０との２つによって共通にサンプリングされる一方、該階調データＤＧは、当該画素のＧに対応するレジスタ１４２０によって単独にサンプリングされる。
また、この奇数に続く偶数列の画素に対応して、階調データＤＧ、ＤＢが供給される期間に、対応する列のサンプリング制御信号がＨレベルになると、該階調データＤＧは、当該画素のＧに対応するレジスタ１４２０によって単独にサンプリングされる一方、該階調データＤＢは、当該画素のＢに対応するレジスタ１４２０と、該画素と１列後に位置する画素のＢに対応するレジスタ１４２０との２つによって共通にサンプリングされる。
【００４４】
なお、この変形構成における以降の動作については、第１実施形態と同様である。すなわち、最終列のデータ線１１４に対応するレジスタ１４２０に階調データが保持されると、走査信号がＨレベルになるタイミングに合わせて、ラッチパルスＬＰが出力されて、それぞれサンプリングされた階調データが、ラッチ回路１４３０によって一斉にラッチされ、さらに、それぞれ変換回路１４４０によってアナログ信号に変換され、データ信号としてデータ線１１４に供給される。
【００４５】
このような変形構成では、第１実施形態と比較して信号線１４２、１４６、１４８の線数は、従来と比べて同じであるが、人が明るさを決定する際に、あまり影響を与えないＲ、Ｂのサブ画素に供給される階調データＤＲ、ＤＢは、相隣接する２画素において共通化されている。このため、信号線１４６、１４８に供給される階調データＤＲ、ＤＢの変化が、図８に示されるように２画素毎に現れる。
このため、変形構成によれば、画素毎に変化の現れる従来の構成と比較して、寄生容量によってなされる充放電の頻度が低下するので、その分、寄生容量によって消費される電力を、表示品位の低下を抑えた上で、なくすことが可能となる。
【００４６】
＜第２実施形態＞
次に、本発明の第２実施形態に係る電気光学装置について説明する。この第２実施形態に係る電気光学装置は、第１実施形態とは、データ線駆動回路１４０の構成が相違するのみである。そこで、この第２実施形態に係るデータ線駆動回路１４０を中心に説明することにする。
【００４７】
図９は、この第２実施形態におけるデータ線駆動回路１４０の構成を示すブロック図である。この図に示されるデータ線駆動回路１４０にあっては、一般的にｊを奇数とすれば、データ信号Ｒｊ、Ｇｊ、Ｇ（ｊ＋１）、Ｂ（ｊ＋１）が供給されるデータ線１１４に対応して、レジスタ１４２０、ラッチ回路１４３０および変換回路１４４０の組が設けられており、データ信号Ｂｊ、Ｒ（ｊ＋１）が供給されるデータ線１１４には設けられていない。
ただし、データ信号Ｂ（ｊ＋１）に対応する変換回路１４４０の出力は、データ信号Ｂｊに対応するデータ線１１４にも接続され、また、データ信号Ｒｊに対応する変換回路１４４０の出力は、データ信号Ｒ（ｊ＋１）に対応するデータ線１１４にも接続されている。
すなわち、本実施形態において、ｊ列目の画素のうち、Ｒのサブ画素に対応する変換回路１４４０は、データ信号Ｒｊ、Ｒ（ｊ＋１）を共通に出力する一方、（ｊ＋１）列目の画素のうち、Ｂのサブ画素に対応する変換回路１４４０は、データ信号Ｂｊ、Ｂ（ｊ＋１）を共通に出力する構成となっている。
【００４８】
このように第２実施形態に係る電気光学装置によれば、第１実施形態と同様に、人が明るさを決定する際にあまり影響を与えないＲ、Ｂのサブ画素に供給される階調データＤＲ、ＤＢは、相隣接する２画素を考慮して共通化されるので、信号線１４２、１４４に要する線数が１２本で済む。このため、第２実施形態では、表示品位の低下を抑えた上で、信号線１４２、１４４の寄生容量によって消費される電力を抑えることが可能となる。
さらに、第２実施形態では、レジスタ１４２０、ラッチ回路１４３０および変換回路１４４０の組が、一般的にｊを奇数とすれば、データ信号Ｂｊ、Ｒ（ｊ＋１）が供給されるデータ線１１４に対応して設けられていないので、データ線駆動回路１４０の構成を簡略化することが可能となる上、構成の簡略化に伴う低消費電力化も達成されることになる。
なお、第２実施形態では、第１実施形態における変形と同様に、階調データＤＲ、ＤＧ、ＤＢをそれぞれ専用の信号線を介して入力しても良いし、Ｒ、Ｂのサンプリングタイミングを入れ替えても良い。
【００４９】
＜第３実施形態＞
上述した第１および第２実施形態では、水平走査方向に相隣接する２つの画素において、Ｒ、Ｂのサブ画素を互いに同一階調とする際に、それぞれ共通のデータ信号を、それぞれ異なるデータ線１１４を介して供給する構成としていた。
しかしながら、同一のデータ信号を、異なるデータ線１１４を介して供給する構成は、冗長的な部分が少なからず存在する。そこで、このような冗長的な部分を解消した第３実施形態について説明する。
【００５０】
図１０は、この電気光学装置におけるデータ線駆動回路１４０の構成を示すブロック図である。この図に示されるデータ線駆動回路１４０は、上述した第２実施形態（図９参照）とは、共通のデータ信号が供給されるデータ線１１４が存在しない点以外、共通である。一方、本実施形態に係る電気光学装置におけるサブ画素は、図１１（ａ）に示されるように配置している。
すなわち、本実施形態では、水平走査方向に相隣接する２つの画素に属する２つのＢのサブ画素が１つにまとめられ、同様に、水平走査方向に相隣接する２つの画素に属する２つのＲのサブ画素が１つにまとめられて、２つのサブ画素において共通のデータ信号が供給されるデータ線１１４を省略したものである。
【００５１】
詳細には、一般的にｊを奇数とすれば、ｊ列目の画素、および、（ｊ＋１）列目の画素に属するＢのサブ画素が１つにまとめられ、続く（ｊ＋１）列目の画素、（ｊ＋２）列目の画素に属するＲのサブ画素が１つにまとめらている（ストライプ配列）。さらに、Ｒ、Ｂともに１つにまとめられたサブ画素は、それぞれＧのサブ画素の面積に対して略２倍になっている。
このような電気光学装置によれば、第２実施形態と同様に、構成の簡略化や、低消費電力化が達成されるほか、変換回路１４４０の出力数や、表示領域におけるサブ画素の総数が減少することになる。このため、サブ画素同士の間隙が占める面積が減少するので、表示領域において、サブ画素が占める面積の比率が増加する結果、開口率が向上する。したがって、本実施形態では、コントラスト比が高く、明るい表示とすることも可能になる。
【００５２】
なお、第３実施形態において、サブ画素は、図１１（ａ）に示される配置のほか、図１１（ｂ）や、図１１（ｃ）、図１１（ｄ）等に示される配置が適用可能である。すなわち、図１１（ｂ）に示される配置は、図１１（ａ）におけるＲ、Ｂのサブ画素を１行毎に入れ替えたものであり、また、図１１（ｃ）に示される配置は、データ線の直線性を維持しつつ、図１１（ｂ）における配置を１／３画素（１サブ画素）分だけシフトさせたものであり、さらに、図１１（ｄ）に示される配置は、各行における画素の配置を、０．５画素分だけシフトさせたものである（デルタ配列）。
また、第３実施形態では、第１実施形態における変形と同様に、階調データＤＲ、ＤＧ、ＤＢをそれぞれ専用の信号線を介して入力しても良いし、Ｒ、Ｂのサンプリングタイミングを入れ替えても良い。
【００５３】
＜第４実施形態＞
上述した第１、第２および第３実施形態では、水平走査方向に相隣接する２つの画素において、Ｒのサブ画素を互いに同一階調とし、同様に、Ｂのサブ画素を互いに同一階調としたが、２画素同士の隣接方向は、水平走査方向に限られず、垂直走査方向であっても良い。
そこで、水平走査方向ではなく、垂直走査方向に相隣接する２つの画素に属するＲ、Ｂサブ画素の各々を、同一階調とする第４実施形態について説明することにする。
【００５４】
図１２は、この電気光学装置におけるデータ線駆動回路１４０の構成を示すブロック図である。この図において、行選択信号Ｏ／Ｅは、奇数行目のサブ画素に対応する階調データＤＲ、ＤＧが供給される水平走査期間にＨレベルとなる一方、偶数行目のサブ画素に対応する階調データＤＧ、ＤＢが供給される水平走査期間にＬレベルとなって、スイッチ１４５０の選択を制御するものである。また、スイッチ１４５０は、画素列に対応して設けられ、行選択信号Ｏ／ＥがＨレベルである場合に、サンプリング制御信号をＲのサブ画素に対応したレジスタ１４２０に供給する一方、行選択信号Ｏ／ＥがＬレベルである場合に、サンプリング制御信号をＢのサブ画素に対応したレジスタ１４２０に供給するものである。
【００５５】
上述したように、線順次的にデータ信号を供給するデータ線駆動回路１４０において、階調データをレジスタ１４２０にサンプリングするタイミングは、サンプリングした階調データにしたがったデータ信号をデータ線１１４に実際に供給するタイミングよりも１水平走査期間だけ先行した関係にある。このため、奇数行目のサブ画素に対応する階調データＤＲ、ＤＧが供給される水平走査期間とは、当該奇数行目より１行前の走査線１１２が選択される期間をいい、偶数行目のサブ画素に対応する階調データＤＧ、ＤＢが供給される水平走査期間とは、当該偶数行目より１行前の走査線１１２が選択される期間をいう。
換言すれば、偶数行目の走査線１１２が選択される水平走査期間においては、該偶数行目よりも１行前にある奇数行目のサブ画素に対応する階調データＤＲ、ＤＧが供給される一方、奇数行目の走査線１１２が選択される水平走査期間においては、該奇数行目よりも１行前にある偶数行目のサブ画素に対応する階調データＤＧ、ＤＢが供給されることになる。
【００５６】
このような構成において、奇数行目のサブ画素に対応する階調データＤＲ、ＤＧが供給される水平走査期間では、スイッチ１４５０の各々が、Ｒのサブ画素に対応するレジスタ１４２０を選択して、選択したサンプリング制御信号をそれぞれ供給する。このため、当該水平走査期間では、信号線１４４に供給された階調データＤＲは、Ｒのサブ画素に対応するレジスタ１４２０によって、サンプリング制御信号の立ち上がりにてサンプリングされることになる。
なお、当該水平走査期間において、Ｂのサブ画素に対応するレジスタ１４２０は、直前の水平走査期間においてサンプリングした階調データＤＢを、引き続いてラッチ出力することになる。
【００５７】
続いて、偶数行目のサブ画素に対応する階調データＤＧ、ＤＢが供給される水平走査期間では、スイッチ１４５０の各々が、Ｂのサブ画素に対応するレジスタ１４２０を選択して、選択したサンプリング制御信号をそれぞれ供給する。このため、当該水平走査期間では、信号線１４４に供給された階調データＤＢは、Ｂのサブ画素に対応するレジスタ１４２０によって、サンプリング制御信号の立ち上がりにてサンプリングされることになる。
なお、当該水平走査期間において、Ｒのサブ画素に対応するレジスタ１４２０は、直前の水平走査期間においてサンプリングした階調データＤＲを、引き続いてラッチ出力することになる。
【００５８】
また、階調データＤＧは、奇数行目・偶数行目とは無関係に、Ｇのサブ画素に対応するレジスタ１４２０によって、サンプリング制御信号の立ち上がりにてサンプリングされる。
【００５９】
したがって、この構成によれば、一般的に奇数行目の走査線１１２が選択される水平走査期間において、ｊ列目の画素に対応するデータ信号Ｒｊ、Ｇｊ、Ｂｊは、次のようなものとなる。すなわち、データ信号Ｒｊ、Ｇｊは、直前の水平走査期間にサンプリングされた階調データＤＲ、ＤＧであって、当該奇数行ｊ列の画素に属するＲ、Ｇのサブ画素の階調データＤＲ、ＤＧをそれぞれ変換回路１４４０によって変換したものとなる。一方、データ信号Ｂｊは、当該奇数行より１行前の偶数行ｊ列の画素に属するＢのサブ画素の階調データＤＢを、当該直前水平走査期間から当該水平走査期間まで引き続いて、変換回路１４４０によって変換したものとなる。
また、これに続く偶数行目の走査線１１２が選択される水平走査期間において、ｊ列目の画素に対応するデータ信号Ｇｊ、Ｂｊは、直前の水平走査期間にサンプリングされた階調データＤＧ、ＤＢであって、当該偶数行ｊ列の画素に属するＧ、Ｂのサブ画素の階調データＤＧ、ＤＢをそれぞれ変換回路１４４０によって変換したものとなる一方、データ信号Ｒｊは、当該偶数行より１行前の奇数行ｊ列の画素に属するＲのサブ画素の階調データＤＲを、当該直前水平走査期間から当該水平走査期間まで引き続いて、変換回路１４４０によって変換したものとなる。
【００６０】
なお、この構成において、１行目の走査線１１２には、Ｂのサブ画素に対応するデータ信号が存在しないことになるが、仮想的に０行目の走査線を設けるとともに、この０行目の走査線が選択される水平走査期間の前に、０行目および１行目で共通化される階調データＤＢをサンプリングする構成とすれば良い。
【００６１】
このように第４実施形態に係る電気光学装置によれば、Ｇのサブ画素は、画素毎に個別に指示された階調となるが、垂直走査方向に相隣接する２つの画素において、Ｒのサブ画素は、互いに同一階調となり、同様に、Ｂのサブ画素も、互いに同一階調となる。
このため、本実施形態において、信号線１４４には、偶数行目の走査線１１２が選択される期間に、該偶数行よりも１行前の行に対応するサブ画素の階調データＤＲが供給される一方、続く奇数行目の走査線１１２が選択される期間に、該奇数行よりも１行前の行に対応するサブ画素の階調データＤＢが供給される。
したがって、本実施形態によっても、信号線１４２、１４４に要する線数は１２本で済むので、信号線１４２、１４４の寄生容量によって無駄に消費される電力を、表示品位の低下を抑えた上で、なくすことが可能となる。
【００６２】
なお、第４実施形態では、スイッチ１４５０の選択を入れ替えるとともに、Ｒ、Ｂのサンプリングタイミングを入れ替えても良い。また、第４実施形態では、奇数行とこれに続く偶数行とにおいて同列に位置するＲのサブ画素を、および、偶数行とこれに続く奇数行とにおいて同列に位置するＢのサブ画素を、それぞれ第３実施形態で述べたように１つにまとめても良い。
【００６３】
＜第５実施形態＞
上述した第１、第２、第３および第４実施形態では、Ｒ、Ｂのサブ画素が、相隣接する２画素において共通化されるので、当該画素間に大きな色差や階調変化等がある場合には、にじみが発生する可能性がある。
そこで、このような場合に、Ｒ、Ｂのサブ画素を、相隣接する２画素において共通化せずに、個別の階調データを供給する構成として、にじみの発生を防止した第５実施形態について説明する。
【００６４】
図１３は、第５実施形態に係る電気光学装置におけるデータ線駆動回路１４０の構成を示すブロック図である。この図において、モード選択信号Ａ／Ｂは、本実施形態における第１のモードと第２のモードとのいずれかを規定するための信号である。
詳細には、モード選択信号Ａ／Ｂは、図１４に示されるように、第１実施形態と同様に水平走査方向に相隣接する２画素においてＲ、Ｂのサブ画素を共通化する第１のモードであれば、Ｌレベルとなる一方、大きな色差や階調変化がある場合のように、本来の階調データがしきい値以上変化する第２のモードであれば、Ｈレベルとなる信号である。
ここで、モード選択信号Ａ／ＢがＬレベルであれば、階調データＤＧは、画素毎に６ビットで供給され、階調データＤＲ、ＤＢは、１画素おきに交互に６ビットで供給される。一方、モード選択信号Ａ／ＢがＨレベルであれば、階調データＤＲ、ＤＧ、ＤＢの各々は、それぞれ本来の６ビットのうち、下位２ビットが切り捨てられて、上位４ビットのみが画素毎に供給される。
【００６５】
また、スイッチＳＷｒは、一般的に偶数ｊにおいて、データ信号Ｒｊが供給されるデータ線１１４に対応するレジスタ１４２０に、モード選択信号Ａ／ＢがＬレベルであれば、当該列よりも１列前に対応するサンプリング制御信号Ｘｓ（ｊ−１）を供給する一方、モード選択信号Ａ／ＢがＨレベルであれば、当該列に対応するサンプリング制御信号Ｘｓｊを供給するものである。
さらに、スイッチＳＷｂは、偶数ｊの次の奇数（ｊ＋１）において、データ信号Ｂ（ｊ＋１）が供給されるデータ線１１４に対応するレジスタ１４２０に、モード選択信号Ａ／ＢがＬレベルであれば、当該列よりも１列前に対応するサンプリング制御信号Ｘｓｊを供給する一方、モード選択信号Ａ／ＢがＨレベルであれば、当該列に対応するサンプリング制御信号Ｘｓ（ｊ＋１）を供給するものである。ただし、例外的に、データ信号Ｂ１が供給されるデータ線１１４に対応するレジスタ１４２０には、スイッチＳＷｂが設けられずに、パルス信号ＤＸがサンプリング制御信号の代用として供給されている。
【００６６】
次に、切替回路１４６０は、信号線ＢＡ、ＢＢに供給された階調データＤＲ、ＤＧ、ＤＢを、モード選択信号Ａ／Ｂのレベルに応じて、信号線１４２、１４４、１４６に供給するものであり、詳細には、図１５に示される構成となっている。
この図における８個のスイッチの各々は、それぞれ、モード選択信号Ａ／ＢがＬレベルであれば入力端ａを選択する一方、モード選択信号Ａ／ＢがＨレベルであれば入力端ｂを選択するものである。
【００６７】
また、入力側における信号線ＢＡは、バスラインＢＡ５（最上位）〜ＢＡ０（最下位）の６本からなり、同様に、信号線ＢＢは、バスラインＢＢ５（最上位）〜ＢＢ０（最下位）の６本からなる。一方、レジスタ１４２０への出力側における信号線１４６は、バスラインＲ５（最上位）〜Ｒ０（最下位）の６本からなり、同様に、信号線１４２は、バスラインＧ５（最上位）〜Ｇ０（最下位）の６本からなり、同様に、信号線１４４は、バスラインＢ５（最上位）〜Ｂ０（最下位）の６本からなる。
ここで、本実施形態では、モード選択信号Ａ／ＢがＬレベルとなる第１のモードにおいて、階調データＤＧは、バスラインＢＢ０〜ＢＢ５を介して画素毎に６ビットで供給され、また、階調データＤＲ、ＤＢは、バスラインＢＡ５〜ＢＡ０を介して１画素おきに交互にそれぞれ６ビットで供給される。
一方、モード選択信号Ａ／ＢがＨレベルとなる第２のモードにおいて、階調データＤＲは、バスラインＢＡ５〜ＢＡ２を介して４ビットで、また、階調データＤＧは、バスラインＢＢ５〜ＢＢ２を介して４ビットで、さらに、階調データＤＢは、バスラインＢＢ１、ＢＡ１、ＢＢ０、ＢＡ０を介して４ビットで、それぞれ画素毎に供給される。
【００６８】
したがって、切替回路１４６０にあっては、第１のモードである場合、６ビットの階調データＤＧは、信号線１４２を構成するバスラインＧ５〜Ｇ０を介して画素毎に供給され、また、６ビットの階調データＤＲ（ＤＢ）は、信号線１４４（１４６）を構成するバスラインＲ５〜Ｒ０（Ｂ５〜Ｂ０）を介して１画素おきに供給される。
一方、第２のモードである場合、階調データＤＲは、信号線１４６のうち、バスラインＲ５〜Ｒ２を介して画素毎に供給され、また、階調データＤＧは、信号線１４２のうち、バスラインＧ５〜Ｇ２を介して画素毎に供給され、さらに、階調データＤＢは、信号線１４４のうち、バスラインＢ５〜Ｂ２を介して画素毎に供給される。
なお、第２のモードでは、信号線１４２のうち、バスラインＧ１、Ｇ０と、信号線１４４のうち、バスラインＢ１、Ｂ０と、信号線１４６のうち、バスラインＲ１、Ｒ０とは、それぞれスイッチによってＬレベルとなるので、下位２ビットが切り捨てられることになる。
【００６９】
説明を図１３に戻すと、本実施形態において、パルス信号ＤＸは、水平走査期間の最初に立ち上がる点において、上述した第１実施形態等と同様であるが、以降、ラッチパルスＬＰが立ち上がるまで、Ｈレベルに保持される点において、第１実施形態等と相違する。
さらに、シフトレジスタ１４７０は、クロック信号ＸｓＣＫの立ち上がり毎に順次シフトする点において、上述した第１実施形態等に係るシフトレジスタ１４１０と同様であるが、ラッチパルスＬＰによってリセットされる構成において、シフトレジスタ１４１０と相違する。
【００７０】
次に、本実施形態に係る電気光学装置の動作について説明する。図１６は、この電気光学装置の動作を説明するためのタイミングチャートである。この図において、データＤａは、モード選択信号Ａ／ＢがＬレベルであれば、信号線ＢＡのうち、バスラインＢＡ５〜ＢＡ０を介して供給される６ビットの階調データを示し、また、モード選択信号Ａ／ＢがＨレベルであれば、信号線ＢＡのうち、バスラインＢＡ５〜ＢＡ２を介して供給される４ビットの階調データを示している。同様に、データＤｂは、モード選択信号Ａ／ＢがＬレベルであれば、信号線ＢＢのうち、バスラインＢＢ５〜ＢＢ０を介して供給される６ビットの階調データを示し、また、モード選択信号Ａ／ＢがＨレベルであれば、信号線ＢＢのうち、バスラインＢＢ５〜ＢＢ２を介して供給される４ビットの階調データを示している。
さらに、データＤｃは、モード選択信号Ａ／ＢがＨレベルに限って、バスラインＢＡ１（最上位）、ＢＡ０、ＢＢ１、ＢＢ０（最下位）を介して供給される４ビットの階調データを示している。
【００７１】
さて、この実施形態では、モード選択信号Ａ／ＢがＬレベルとなる第１のモードであれば、一般的に偶数ｊにおいて、スイッチＳＷｒは、データ信号Ｒｊが供給されるデータ線１１４に対応するレジスタ１４２０に、当該列よりも１列前に対応するサンプリング制御信号Ｘｓ（ｊ−１）を供給し、また、スイッチＳＷｂは、偶数ｊの次の奇数（ｊ＋１）において、データ信号Ｂ（ｊ＋１）が供給されるデータ線１１４に対応するレジスタ１４２０に、当該列よりも１列前に対応するサンプリング制御信号Ｘｓｊを供給する。
したがって、本実施形態では、第１モードであれば、第１実施形態の変形構成（図７参照）と全く同じタイミングにて、それぞれ６ビットの階調データＤＲ、ＤＧ、ＤＢが、レジスタ１４２０にサンプリングされることになる。すなわち、階調データＤＧについては画素毎に個別に、階調データＤＲ、ＤＢについては水平方向に相隣接する２画素で共通に、それぞれサンプリングされることになる。
【００７２】
一方、この実施形態では、モード選択信号Ａ／ＢがＨレベルとなる第２のモードであれば、一般的にｊを偶数とする場合に、スイッチＳＷｒは、データ信号Ｒｊが供給されるデータ線１１４に対応するレジスタ１４２０に、当該列に対応するサンプリング制御信号Ｘｓｊを供給し、また、スイッチＳＷｂは、偶数ｊの次の奇数（ｊ＋１）において、データ信号Ｂ（ｊ＋１）が供給されるデータ線１１４に対応するレジスタ１４２０に、当該列に対応するサンプリング制御信号Ｘｓ（ｊ＋１）を供給する。
したがって、本実施形態では、モード選択信号Ａ／ＢがＨレベルとなる第２のモードであれば、それぞれ４ビットの階調データＤＲ、ＤＧ、ＤＢが、画素毎に個別にサンプリングされることになる。
【００７３】
ここで、第２のモードとなる期間において供給される階調データＤＲ、ＤＧ、ＤＢは、それぞれ本来の６ビットのうち、下位２ビットを切り捨てたものであるので、一般的には、階調がなだらかに変化する表示部分に独特の紋様が発生する可能性がある。ただし、本実施形態において、第２のモードへ移行するのは、大きな色差や階調変化がある場合であり、階調がなだらかに発生する部分を表示する場合ではない。このため、本実施形態において、第２のモードでの紋様の発生は問題になることは少ない、と考えられる。
【００７４】
この第５実施形態では、自然画等の写真イメージを表示する場合に、モード選択信号Ａ／ＢをＬレベルにして第１のモードとすれば、人が明るさを決定する際にあまり影響を与えないＲ、Ｂのサブ画素に供給される階調データＤＲ、ＤＢが相隣接する２画素において共通化される。このため、表示品位の低下を抑えた上で、低消費電力化を図ることが可能となる。
一方、第５実施形態では、文字や線画などのキャラクタを表示する場合に、モード選択信号Ａ／ＢをＨレベルにして第２のモードとすれば、にじみの発生を抑えて高品位な表示が可能となる。
このため、第５実施形態では、第１または第２のモードを表示内容に応じて選択することによって、低消費電力化と表示品位の低下防止とを両立することが可能となる。さらに、第５実施形態は、第４実施形態と比較しても、切替回路１４６０と、モード選択信号Ａ／Ｂを供給する配線とが実質的に追加されているに過ぎないので、構成の複雑化防止、および、これに伴う低消費電力化も図られることになる。
【００７５】
なお、図１６は、３列目の画素のみの階調がしきい値以上変化する場合を想定して、当該３列目の画素に対応する階調データＤＲ、ＤＧ、ＤＢが供給されるタイミングにおいてモード選択信号Ａ／ＢがＨレベルとなる状態を示していたが、本実施形態は、これに限られない。すなわち、モード選択信号Ａ／Ｂは、複数列または複数行にわたってＨレベルとなっても良く、むろん表示領域のすべてにわたってＨレベルとなっても良い。
【００７６】
また、特定の領域を走査する場合に限って、モード選択信号Ａ／ＢをＨレベルとする構成としても良い。例えば、図１７に示されるような画面を表示する場合に、文字や、数字、線画などのキャラクタを表示する領域を水平走査する期間に限って、モード選択信号Ａ／ＢをＨレベルとし、それ以外の期間では、モード選択信号Ａ／ＢをＬレベルとすれば、表示内容に応じた最適な駆動が実行されることになる。
【００７７】
＜電気光学装置のまとめ＞
なお、上述した第１〜第５実施形態においては、サブ画素１２０が、図２（ａ）に示されるように、ＴＦＴ１１６によってスイッチングされるので、変換回路１４４０は、ラッチされた階調データを、信号ＡＫによって指示される極性のアナログ変換し、データ信号としてデータ線１１４に供給する構成となっていた。ただし、本発明では、これに限られず、サブ画素１２０について種々の構成を採用することが可能である。例えば、ＴＦＴ１１６のほか、半導体基板上に形成された電界効果型トランジスタを用いても良い。
【００７８】
また、三端子型素子のほか、図２（ｂ）に示されるように、ＴＦＤ（Thin Film Diode：薄膜ダイオード）１１７のような二端子型素子を用いることもできる。  ここで、図２（ｂ）にあっては、走査線１１２とデータ線１１４との交差部分おいて、ＴＦＴ１１７の一端が、該走査線１１２に接続され、その他端が画素電極１１８に接続されている。一方、データ線１１４は、画素電極１１８に対向するストライプ状の電極となる。
この構成において、ある１行の走査線１１２を選択する場合、データ線１１４に印加されるデータ信号にかかわらず、ＴＦＤ１１７がオンするような走査信号を走査線１１２に供給すると、ＴＦＤ１１７が強制的にオン状態となる。このため、画素電極１１８とデータ線１１４とによって液晶１０５を挟持した液晶容量には、オン状態となったＴＦＤ１１７を介して、走査線１１２とデータ線１１４とに印加される電圧差に応じた電荷が蓄積されることになる。
そこで、サブ画素１２０が、ＴＦＤ１１７によってスイッチングされる場合、変換回路１４４０は、選択された走査線１１２に供給される走査信号とは、反対極性であって、ラッチされた階調データに応じたパルス幅を有する信号に変換して、これをデータ信号として供給する構成とすれば良い。
なお、図２（ｂ）では、ＴＦＤ１１７の一端が走査線１１２に接続されているが、ＴＦＤ１１７の一端がデータ線１１４に接続されるとともに、走査線１１２をストライプ状の電極としても良い。
【００７９】
さらに、本発明では、アクティブ・マトリクス方式に限られず、図２（ｃ）に示されるように、パッシブ・マトリクス方式にも適用可能である。
ここで、図２（ｃ）にあっては、走査線１１２は、Ｘ方向に延在するストライプ状のコモン電極として形成され、また、データ線１１４は、Ｙ方向に延在するストライプ状のセグメント電極として形成される。そして、両者が交差する部分おいて、液晶１０５が挟持されて、液晶容量が形成されることになる。
このようなパッシブ・マトリクス型に適用される変換回路１４４０は、ＴＦＤ１１７と同様に、選択された走査線１１２に供給される走査信号とは、反対極性であって、ラッチされた階調データに応じたパルス幅を有する信号に変換して、これをデータ信号として供給する構成とすれば良い。
【００８０】
一方、上述したデータ線駆動回路１４０は、いずれもデータ信号を、ラッチパルスＬＰの立ち上がりにて一斉に供給する線順次駆動を例にとって説明したが、サンプリングされた階調データを直ちにデータ信号に変換して供給する点順次駆動としても良い。なお、この点順次駆動では、ラッチ回路１４３０は不要となる。
【００８１】
くわえて、上述した電気光学装置は、液晶表示装置の透過型を例にとって説明したが、透過型のほか、反射型、半透過半反射型のいずれにも適用可能である。さらには、電気光学装置としては、有機ＥＬ装置や、蛍光表示管、プラズマ・ディスプレイ・パネル、ディジタルミラーデバイスなど種々のものに適用可能である。
【００８２】
＜電子機器＞
次に、上述した実施形態に係る電気光学装置を用いた電子機器のいくつかについて説明する。
【００８３】
＜その１：モバイル型パーソナルコンピュータ＞
まず、上述した電気光学装置を、モバイル型パーソナルコンピュータの表示部に適用した例について説明する。図１８は、このパーソナルコンピュータの構成を示す斜視図である。図において、コンピュータ２１００は、キーボード２１０２を備えた本体部２１０４と、表示部として用いられる電気光学装置１００とを備えている。なお、電気光学装置１００として液晶表示装置を用いる場合には、暗所での視認性を確保するため、背面にバックライトが設けられるが、外観には表れないので、図示を省略している。
【００８４】
＜その２：ディジタルスチルカメラ＞
次に、上述した電気光学装置を、ファインダに用いたディジタルスチルカメラについて説明する。図１９は、このディジタルスチルカメラの背面を示す斜視図である。通常の銀塩カメラは、被写体の光像によってフィルムを感光させるのに対し、ディジタルスチルカメラ２２００は、被写体の光像をＣＣＤ（Charge Coupled Device）などの撮像素子により光電変換して撮像信号を生成するものである。
【００８５】
ここで、ディジタルスチルカメラ２２００におけるケース２２０２の背面には、上述した電気光学装置１００が設けられ、ＣＣＤによる撮像信号に基づいて、表示を行う構成となっている。このため、電気光学装置１００は、被写体を表示するファインダとして機能することになる。
なお、このディジタルスチルカメラ２２００においても、電気光学装置１００として液晶表示装置を用いる場合、暗所での視認性を確保するため、背面にバックライトが設けられる（図示省略）。
【００８６】
また、ケース２２０２の前面側（図１９においては裏面側）には、光学レンズやＣＣＤなどを含んだ受光ユニット２２０４が設けられている。ここで、撮影者が電気光学装置１００に表示された被写体像を確認して、シャッタボタン２２０６を押下すると、その時点におけるＣＣＤの撮像信号が、回路基板２２０８のメモリに転送・格納される。
なお、このディジタルスチルカメラ２２００にあっては、ケース２２０２の側面には、外部表示を行うために、ビデオ信号出力端子２２１２と、データ通信用の入出力端子２２１４とが設けられている。
【００８７】
＜その３：携帯電話＞
さらに、上述した電気光学装置を、携帯電話の表示部に適用した例について説明する。図２０は、この携帯電話の構成を示す斜視図である。図において、携帯電話２３００は、複数の操作ボタン２３０２のほか、受話口２３０４、送話口２３０６とともに、上述した電気光学装置１００を備えるものである。なお、電気光学装置１００として液晶表示装置を用いる場合には、暗所での視認性を確保するため、透過型や半透過半反射型であれば、バックライトが、反射型であればフロントライト（いずれも図示省略）が、それぞれ設けられる。
【００８８】
＜電子機器のまとめ＞
なお、電子機器としては、図１８、図１９および図２０を参照して説明した他にも、液晶テレビや、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種の電子機器に対して、実施形態や応用・変形例に係る電気光学装置が適用可能なのは言うまでもない。
【００８９】
【発明の効果】
以上説明したように本発明によれば、電気光学装置において、表示品位の低下を抑えた上で、構成簡易化や低消費電力化等が可能になる。
【図面の簡単な説明】
【図１】  本発明の第１実施形態に係る電気光学装置の構成を示すブロック図である。
【図２】  （ａ）、（ｂ）および（ｃ）は、それぞれ同電気光学装置における画素の等価回路を示す図である。
【図３】  同電気光学装置におけるデータ線駆動回路の構成を示すブロック図である。
【図４】  同電気光学装置に供給されるＲ、Ｇ、Ｂの階調データを説明するためのタイミングチャートである。
【図５】  同電気光学装置における動作を説明するためのタイミングチャートである。
【図６】  同電気光学装置における動作を説明するためのタイミングチャートである。
【図７】  同電気光学装置のデータ線駆動回路を変形した構成を示すブロック図である。
【図８】  同電気光学装置における動作を説明するためのタイミングチャートである。
【図９】  本発明の第２実施形態に係る電気光学装置のデータ線駆動回路の構成を示すブロック図である。
【図１０】  本発明の第３実施形態に係る電気光学装置のデータ線駆動回路の構成を示すブロック図である。
【図１１】  （ａ）、（ｂ）、（ｃ）および（ｄ）は、同電気光学装置に適用可能なサブ画素の配置を示す図である。
【図１２】  本発明の第４実施形態に係る電気光学装置のデータ線駆動回路の構成を示すブロック図である。
【図１３】  本発明の第５実施形態に係る電気光学装置のデータ線駆動回路の構成を示すブロック図である。
【図１４】  同電気光学装置に供給されるＲ、Ｇ、Ｂの階調データを説明するためのタイミングチャートである。
【図１５】  同データ線駆動回路における切替回路の構成を示す図である。
【図１６】  同電気光学装置における動作を説明するためのタイミングチャートである。
【図１７】  同電気光学装置における表示例を示す平面図である。
【図１８】  実施形態に係る電気光学装置を適用した電子機器の一例たるパーソナルコンピュータの構成を示す斜視図である。
【図１９】  実施形態に係る電気光学装置を適用した電子機器の一例たるディジタルスチルカメラの背面構成を示す斜視図である。
【図２０】  実施形態に係る電気光学装置を適用した電子機器の一例たる携帯電話の構成を示す斜視図である。
【符号の説明】
１００…電気光学装置
１０５…液晶
１０８…対向電極
１１２…走査線
１１４…データ線
１１６…ＴＦＴ
１１８…画素電極
１２０…サブ画素
１３０…走査線駆動回路
１４０…データ線駆動回路
１４２、１４４、１４６…信号線
１４１０…シフトレジスタ
１４２０…レジスタ
１４３０…ラッチ回路
１４４０…変換回路
１４５０…スイッチ
１４６０…切替回路
【図１】
0004092880.tif 000002
【図２】
0004092880.tif 000003
【図３】
0004092880.tif 000004
【図４】
0004092880.tif 000005
【図５】
0004092880.tif 000006
【図６】
0004092880.tif 000007
【図７】
0004092880.tif 000008
【図８】
0004092880.tif 000009
【図９】
0004092880.tif 000010
【図１０】
0004092880.tif 000011
【図１１】
0004092880.tif 000012
【図１２】
0004092880.tif 000013
【図１３】
0004092880.tif 000014
【図１４】
0004092880.tif 000015
【図１５】
0004092880.tif 000016
【図１６】
0004092880.tif 000017
【図１７】
0004092880.tif 000018
【図１８】
0004092880.tif 000019
【図１９】
0004092880.tif 000020
【図２０】
0004092880.tif 000021